(57)【特許請求の範囲】
【請求項１】
複数のチャンネルの番組映像及びデータ放送データを含むデジタル放送信号を受信する放送受信装置であって、
前記デジタル放送信号を受信して、ユーザの指示に従ってチャンネルを選局する受信手段と、
前記受信手段により選局されたチャンネルにおいて、前記データ放送データと前記番組映像を合成して画面に配置した第１の表示形態、又は前記データ放送データと前記番組映像を合成せずに、前記番組映像を前記画面全体に配置した第２の表示形態のいずれかの表示形態で表示を行う表示手段と、
所定のチャンネルにおいて前記第１の表示形態で表示が行われた状態から他のチャンネルが選局された場合に、前記所定のチャンネルにおいて前記第１の表示形態で表示が行われていたことを示す情報を保存部に保存する保存手段と、
前記所定のチャンネルにおいて前記第１の表示形態で表示が行われた状態から他のチャンネルが選局された後、予め定められた時間が経過する前に再び前記所定のチャンネルが選局された場合は、前記保存部に保存された情報に基づいて、前記所定のチャンネルにおいて前記第１の表示形態で表示を行い、前記所定のチャンネルにおいて前記第１の表示形態で表示が行われた状態から他のチャンネルが選局された後、予め定められた時間が経過してから再び前記所定のチャンネルが選局された場合は、前記所定のチャンネルにおいて前記第２の表示形態で表示を行うように前記表示手段を制御する制御手段とを備えることを特徴とする放送受信装置。
【請求項２】
前記制御手段は、前記所定のチャンネルにおいて前記第１の表示形態で表示が行われた状態から他のチャンネルが選局された場合に、再び前記所定のチャンネルを選局すると前記第１の表示形態で表示を行うことができる旨をユーザに通知することを特徴とする請求項１に記載の放送受信装置。
【請求項３】
前記保存手段は、前記所定のチャンネルにおいて前記第１の表示形態で表示が行われた状態から他のチャンネルが選局された場合に、前記所定のチャンネルにおける前記第１の表示形態に対応する前記データ放送データの内容に関するコンテンツ情報を前記保存部にさらに保存し、
前記制御手段は、前記所定のチャンネルにおいて前記第１の表示形態で表示が行われた状態から他のチャンネルが選局された後、予め定められた時間が経過する前に再び前記所定のチャンネルが選局された場合に、前記保存部に保存された前記コンテンツ情報に基づいて、前記所定のチャンネルにおける前記第１の表示形態の内容を前記表示手段に再現させることを特徴とする請求項１または請求項２に記載の放送受信装置。
【請求項４】
前記制御手段は、前記保存部に保存された前記コンテンツ情報と、前記受信手段により受信されている前記デジタル放送信号に含まれる前記データ放送データとを比較して、前記コンテンツ情報が更新されているか否かを判別し、その判別結果をユーザに通知することを特徴とする請求項３に記載の放送受信装置。
【請求項５】
複数のチャンネルの番組映像及びデータ放送データを含むデジタル放送信号を受信する放送受信装置の画面表示方法であって、
前記デジタル放送信号を受信して、ユーザの指示に従ってチャンネルを選局する受信工程と、
前記受信工程で選局されたチャンネルにおいて、前記データ放送データと前記番組映像を合成して画面に配置した第１の表示形態、又は前記データ放送データと前記番組映像を合成せずに、前記番組映像を前記画面全体に配置した第２の表示形態のいずれかの表示形態で表示を行う表示工程と、
所定のチャンネルにおいて前記第１の表示形態で表示が行われた状態から他のチャンネルが選局された場合に、前記所定のチャンネルにおいて前記第１の表示形態で表示が行われていたことを示す情報を保存部に保存する保存工程と、
前記所定のチャンネルにおいて前記第１の表示形態で表示が行われた状態から他のチャンネルが選局された後、予め定められた時間が経過する前に再び前記所定のチャンネルが選局された場合は、前記保存部に保存された情報に基づいて、前記所定のチャンネルにおいて前記第１の表示形態で表示を行い、前記所定のチャンネルにおいて前記第１の表示形態で表示が行われた状態から他のチャンネルが選局された後、予め定められた時間が経過してから再び前記所定のチャンネルが選局された場合は、前記所定のチャンネルにおいて前記第２の表示形態で表示を行うように制御する制御工程とを有することを特徴とする画面表示方法。
【請求項６】
前記制御工程は、前記所定のチャンネルにおいて前記第１の表示形態で表示が行われた状態から他のチャンネルが選局された場合に、再び前記所定のチャンネルを選局すると前記所定のチャンネルにおいて前記第１の表示形態で表示を行うことができる旨をユーザに通知することを特徴とする請求項５に記載の画面表示方法。
【請求項７】
前記保存工程は、前記所定のチャンネルにおいて前記第１の表示形態で表示が行われた状態から他のチャンネルが選局された場合に、前記所定のチャンネルにおける前記第１の表示形態に対応する前記データ放送データの内容に関するコンテンツ情報を前記保存部にさらに保存し、
前記制御工程は、前記所定のチャンネルにおいて前記第１の表示形態で表示が行われた状態から他のチャンネルが選局された後、予め定められた時間が経過する前に再び前記所定のチャンネルが選局された場合に、前記保存部に保存された前記コンテンツ情報に基づいて、前記所定のチャンネルにおける前記第１の表示形態の内容を再現することを特徴とする請求項５または請求項６に記載の画面表示方法。
【請求項８】
前記制御工程は、前記保存部に保存された前記コンテンツ情報と、受信されている前記デジタル放送信号に含まれる前記データ放送データとを比較して、前記コンテンツ情報が更新されているか否かを判別し、その判別結果をユーザに通知することを特徴とする請求項７に記載の画面表示方法。
【発明の詳細な説明】
【技術分野】
【０００１】
本発明は、放送受信装置およびその画面表示方法に関し、特に番組映像及びデータ放送データを含む放送波を受信する放送受信装置の画面表示方法に関する。
【背景技術】
【０００２】
従来より、テレビ放送波の隙間を利用して文字や図形による情報画面を提供する文字放送サービスが提供されている。文字放送の伝送方式には、垂直帰線消去期間に文字放送データを重畳するＶＢＩ（Ｖｅｒｔｉｃａｌ  Ｂｌａｎｋｉｎｇ  Ｉｎｔｅｒｖａｌ）方式や、音声副搬送波に文字放送データを重畳するＡＳＣ（Ａｕｄｉｏ  Ｓｕｂｃａｒｒｉｅｒ  Ｃｈａｎｎｅｌ）方式などがある。これらの伝送方式では、文字やモザイク図形、ジオメトリック図形の他、ＪＰＥＧ（Ｊｏｉｎｔ  Ｐｈｏｔｏｇｒａｐｈｉｃ  Ｅｘｐｅｒｔｓ  Ｇｒｏｕｐ）などの静止画を放送波に重畳して送ることができる。通常は、専用チューナーで放送波を受信し、専用キーを押して目次画面を表示させて、目次の中から所望の番組を選択して文字放送の番組（ニュースや天気）を視聴する。
【０００３】
また、データ放送は、デジタル放送の放送波の一部を利用して、文章やイラスト、写真などのデジタルデータ（テキスト・データ、静止画データ等）を伝送する放送サービスである。データ放送により、通常の番組とは別にニュースや天気予報などのデータを提供することができる他、番組内容と連動した情報も提供することができる。データ放送用のデータ（以下、データ放送データと称する）は、放送局からの放送波に重畳される他、その一部がインターネット経由で伝送されるケースもある。データ放送は、ＭＰＥＧ（Ｍｏｖｉｎｇ  Ｐｉｃｔｕｒｅ  Ｅｘｐｅｒｔｓ  Ｇｒｏｕｐ）形式の動画やＭＮＧ（Ｍｕｌｔｉｐｌｅ−Ｉｍａｇｅ  Ｎｅｔｗｏｒｋ  Ｇｒａｐｈｉｃｓ）形式のアニメーションなど、動的に変化するコンテンツにも対応している。文字放送では静的な画面を提示するのに対して、データ放送では動きのある画面の提示が可能である。また、データ放送では放送局と受信装置との間の双方向通信も可能である。
【０００４】
日本のデジタル放送では、データ放送の記述言語としてＢＭＬ（Ｂｒｏａｄｃａｓｔ  Ｍａｒｋｕｐ  Ｌａｎｇｕａｇｅ：放送用マークアップ言語）が用いられている。ＢＭＬは、ＸＨＴＭＬ（ｅＸｔｅｎｓｉｂｌｅ  Ｈｙｐｅｒ  Ｔｅｘｔ  Ｍａｒｋｕｐ  Ｌａｎｇｕａｇｅ：拡張可能ハイパーテキスト・マークアップ言語）をベースとして放送用に拡張されたものである。データ放送に対応した受信装置にはデータ放送用のブラウザが搭載されており、リソースを識別するためのＵＲＩ（Ｕｎｉｆｏｒｍ  Ｒｅｓｏｕｒｃｅ  Ｉｄｅｎｔｉｆｉｅｒ）が用いられる。
【０００５】
また、次世代の放送サービスであるサーバ型放送では、受信装置に大容量の蓄積装置を内蔵し、放送局から送られてくる番組コンテンツを一旦蓄積して視聴することができる。これにより、放送時刻に縛られずにいつでも好きなときに番組コンテンツを視聴することが可能となる。また、従来の番組コンテンツに加え、番組に関する付加情報（メタデータ）を利用した、ダイジェスト視聴やハイライト視聴などの新しい視聴方法も可能になる。現在、運用規定の策定が進められており、２００６年以降にサービスの開始が予定されている。
【０００６】
ところで、従来の文字放送受信装置においては、受信者がテレビチャンネルを他のテレビチャンネルに切換えて受信した場合には、一旦バッファメモリに記憶されている文字番組データを消去する。そして、切換え後のテレビチャンネル、つまり受信中の放送局の文字番組データの記憶を開始するという記録動作が行われる。このため、受信者が一時的に他のチャンネルを切換えた後に、元のチャンネルに戻った場合、所望の文字番組を提示するまで待ち時間を生じてしまい、使用者とって不都合があった。
【０００７】
そこで、受信者が一時的に他のチャンネルに切換えた後に元のチャンネルに復帰した場合でも、即座に元のチャンネルの文字番組を画面提示することができる文字放送受信装置が提案されている。具体的には、他のテレビジョンチャンネルに所定時間内で切り換えた後に、元のバッファメモリに記憶されたテレビジョンチャンネルに戻った場合には、バッファメモリに記憶された文字放送データは保持される。これにより、文字信号が再受信されるのを待たず、すなわち待ち時間がかかることなく、所望の文字番組を提示することができる（例えば、特許文献１参照）。
【特許文献１】特開平７−１８４１７２号公報
【発明の開示】
【発明が解決しようとする課題】
【０００８】
図２５は、従来のデジタル放送受信装置の表示画面の遷移の一例を示す図である。チャンネルＡのデータ放送画面Ｇ２０が表示された状態で、ユーザがリモコンを操作してチャンネルＢを選局すると、チャンネルＢの番組映像を全画面表示した画面Ｇ２１が表示される。次に、ユーザが再度元のチャンネルＡを選局すると、通常はチャンネルＡの番組映像を全画面表示した画面Ｇ２２が表示される。ただし、チャンネル選局時に自動的にデータ放送のトップページ等が立ち上がるように設定されている場合は、それに対応する画面が表示される。
【０００９】
図２５において、チャンネルＡの画面Ｇ２２が表示された状態からチャンネルＡのデータ放送画面Ｇ２０に表示を切換えたい場合は、ユーザはリモコンのデータ・キーを押してデータ放送のトップページを立上げる必要がある。その後、リモコンの矢印キーを押していくつかのページの遷移を経てデータ放送画面Ｇ２０に辿り着く。このため、データ放送画面Ｇ２０のページ階層が深ければ深いほど、リモコンの操作量は多くなってしまう。
【００１０】
このように、従来のデジタル放送受信装置では、あるチャンネルのデータ放送を視聴している状態から一旦他のチャンネルを選局した後、再度元のチャンネルを選局すると、データ放送画面は表示されずに元のチャンネルの番組映像が全画面に表示されていた。このため、元のチャンネルのデータ放送を視聴したい場合は、再びユーザがリモコンを操作してデータ放送画面を表示させる必要があり、ユーザにとって利便性が悪いという問題があった。
【００１１】
図２６は、従来のサーバ型放送受信装置の表示画面の遷移の一例を示す図である。チャンネルＡのサーバ放送番組画面Ｇ３０において、受信装置内に蓄積された番組コンテンツの再生画面が右上に縮小表示されている。この状態でユーザがリモコンを操作してチャンネルＢを選局すると、チャンネルＢの番組映像を全画面表示した画面Ｇ３１が表示される。次に、ユーザが再度元のチャンネルＡを選局すると、通常はチャンネルＡの番組映像を全画面表示した画面Ｇ３２が表示される。
【００１２】
図２６において、チャンネルＡの画面Ｇ３２が表示された状態からチャンネルＡのサーバ型放送画面Ｇ３０に表示を切換えたい場合は、図２５に示したデータ放送の場合と同様にリモコン操作を複数回行う必要がある。
【００１３】
このように、サーバ型放送においても、あるチャンネルのサーバ型放送を視聴している状態から一旦他のチャンネルを選局した後、再度元のチャンネルを選局すると、サーバ型放送画面は表示されずに元のチャンネルの番組映像が全画面に表示されていた。このため、元のチャンネルのサーバ型放送を視聴した場合は、再びユーザがリモコンを操作してサーバ型放送画面を表示させる必要があり、ユーザにとって利便性が悪いという課題があった。
【００１４】
また、サーバ型放送においては、受信装置内に蓄積された番組コンテンツを視聴する一つの方法として、図２５に示したデータ放送画面からサーバ型放送画面に遷移して番組コンテンツを選んで再生する方法がある。この場合、所望のチャンネルを一旦選局した後、そのチャンネルのデータ放送画面を立上げ、次にそのデータ放送画面からサーバ型放送画面（蓄積された番組コンテンツを選ぶ画面）に遷移する。そして、そのサーバ型放送画面で所望の番組コンテンツを選んで再生するという手順を踏むことになり、操作量が多くなってしまう。
【００１５】
ここで、上記特許文献１に記載の文字放送受信装置によれば、受信者が一時的に他のチャンネルに切換えた後に元のチャンネルに戻った場合でも、即座に元のチャンネルの文字番組を画面提示することができる。これによれば、バッファメモリに元のチャンネルの文字放送データを保持しておくことによって、文字信号を再受信する待ち時間がかからなくなり、即座に元のチャンネルの文字番組を画面提示することができる。
【００１６】
しかしながら、文字放送受信装置と、デジタル放送やサーバ型放送に対応した放送受信装置とは構成が異なり、特許文献１に記載の技術をデジタル放送やサーバ型放送に対応した放送受信装置に単純に適用することは困難である。
【００１７】
例えば、デジタル放送では各チャンネルにおいて番組映像を全画面表示した画面又はデータ放送画面を選択的に表示することが可能であるが、文字放送ではそのような構成になっていない。また、文字放送は静的な画面で提供されるが、データ放送やサーバ型放送では動画などの動的に変化する画面の提示が可能である。また、サーバ型放送においては、以前途中まで見ていた番組コンテンツを、見終わった位置から再生したい場合も想定し得る。この場合、その番組コンテンツの元の再生状態を再現する必要がある。
【００１８】
そこで、本発明は、データ放送又はサーバ型放送の視聴時において、ユーザがチャンネルを切換える際の利便性を向上させることが可能な放送受信装置およびその画面表示方法を提供することを目的とする。
【課題を解決するための手段】
【００１９】
本発明の放送受信装置は、複数のチャンネルの番組映像及びデータ放送データを含むデジタル放送信号を受信する放送受信装置であって、デジタル放送信号を受信して、ユーザの指示に従ってチャンネルを選局する受信手段と、受信手段により選局されたチャンネルにおいて、データ放送データと番組映像を合成して画面に配置した第１の表示形態、又はデータ放送データと番組映像を合成せずに、番組映像を画面全体に配置した第２の表示形態のいずれかの表示形態で表示を行う表示手段と、所定のチャンネルにおいて第１の表示形態で表示が行われた状態から他のチャンネルが選局された場合に、所定のチャンネルにおいて第１の表示形態で表示が行われていたことを示す情報を保存部に保存する保存手段と、所定のチャンネルにおいて第１の表示形態で表示が行われた状態から他のチャンネルが選局された後、予め定められた時間が経過する前に再び所定のチャンネルが選局された場合は、保存部に保存された情報に基づいて、所定のチャンネルにおいて第１の表示形態で表示を行い、所定のチャンネルにおいて第１の表示形態で表示が行われた状態から他のチャンネルが選局された後、予め定められた時間が経過してから再び所定のチャンネルが選局された場合は、所定のチャンネルにおいて第２の表示形態で表示を行うように表示手段を制御する制御手段とを備える。
【００２０】
本発明の画面表示方法は、複数のチャンネルの番組映像及びデータ放送データを含むデジタル放送信号を受信する放送受信装置の画面表示方法であって、デジタル放送信号を受信して、ユーザの指示に従ってチャンネルを選局する受信工程と、受信工程で選局されたチャンネルにおいて、データ放送データと番組映像を合成して画面に配置した第１の表示形態、又はデータ放送データと番組映像を合成せずに、番組映像を画面全体に配置した第２の表示形態のいずれかの表示形態で表示を行う表示工程と、所定のチャンネルにおいて第１の表示形態で表示が行われた状態から他のチャンネルが選局された場合に、所定のチャンネルにおいて第１の表示形態で表示が行われていたことを示す情報を保存部に保存する保存工程と、所定のチャンネルにおいて第１の表示形態で表示が行われた状態から他のチャンネルが選局された後、予め定められた時間が経過する前に再び所定のチャンネルが選局された場合は、保存部に保存された情報に基づいて、所定のチャンネルにおいて第１の表示形態で表示を行い、所定のチャンネルにおいて第１の表示形態で表示が行われた状態から他のチャンネルが選局された後、予め定められた時間が経過してから再び所定のチャンネルが選局された場合は、所定のチャンネルにおいて第２の表示形態で表示を行うように制御する制御工程とを有する。
【発明の効果】
【００２１】
本発明によれば、ユーザが所定のチャンネルにおいて第１の表示形態（データ放送画面又はサーバ型放送画面）で視聴していた場合、一旦他のチャンネルを選局した後に再び上記所定のチャンネルを選局したときに、元の第１の表示形態（データ放送画面又はサーバ型放送画面）を再現することができる。これにより、ユーザが所望の画面を表示させるようにリモコンを操作する手間を省くことができ、チャンネルを切換える際の利便性が向上する。
【発明を実施するための最良の形態】
【００２２】
以下、本発明の実施の形態について説明する。本発明の放送受信装置は、デジタル放送に対応したデジタルテレビ装置や、サーバ型放送に対応した受信装置などに適用される。また、パソコンや携帯機器など、デジタル放送の受信が可能な機器にも適用できる。
【００２３】
また、本発明は、あるチャンネルの番組を視聴している最中に、ユーザの操作によって番組に関連する種々のマルチメディアサービスが提供される環境を想定している。具体的には、ＢＳデジタル放送、１１０度ＣＳデジタル放送、地上波デジタル放送、次世代のサーバ型放送などの放送サービスが提供される環境を想定している。
【実施例１】
【００２４】
本発明の実施の形態について、まずデジタル放送の視聴を例に挙げて、以下に具体的に説明する。
【００２５】
図１は、本発明の実施例１に係るデジタル放送受信装置１００の概略構成を示すブロック図である。図１において、デジタル放送受信装置１００は、デジタル放送の放送波を受信するデジタルテレビ装置を想定している。このデジタル放送受信装置１００は、受信部１０１、通信部１０２、リモコン入力部１０３、画像・音声処理部１０４、合成部１０５、表示部１０６、制御部１０７、ブラウザ１０８、メッセージ作成部１０９、状態保存部１１０、コンテンツ蓄積部１１１、タイマー１１２及び音声出力部１１３を備える。
【００２６】
受信部１０１は、デジタル放送の放送波を受信して、復調処理及び選局処理を行い、映像・音声データ及びデータ放送データを出力する。受信部１０１から出力された映像・音声データは画像・音声処理部１０８に与えられ、データ放送データ（以下、コンテンツとも称する）はコンテンツ蓄積部１１１に与えられる。
【００２７】
映像・音声データ及びデータ放送データは、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ：電波産業会）で規定されているデータである。映像・音声データは、ＭＰＥＧ−２で符号化された映像・音声のストリームデータを指す。データ放送データは、データ放送の画面を構成するＢＭＬデータや各種モノメディア・データが符号化されたＤＳＭ−ＣＣ（Ｄｉｇｉｔａｌ  Ｓｔｏｒａｇｅ  Ｍｅｄｉａ−Ｃｏｍｍａｎｄ  ａｎｄ  Ｃｏｎｔｒｏｌ）セクション・データを含む。ＤＳＭ−ＣＣセクションは、コンテンツのデータ本体を伝送するためのＤＤＢ（Ｄｏｗｎｌｏａｄ  Ｄａｔａ  Ｂｌｏｃｋ）や、ＤＤＢのディレクトリ情報等を記載したＤＩＩ（Ｄｏｗｎｌｏａｄ  Ｉｎｆｏｒｍａｔｉｏｎ  Ｉｎｄｉｃａｔｏｒ）などで構成される。
【００２８】
通信部１０２は、インターネット経由でデータ放送データを取得する。ここで取得されるデータ放送データは、受信部１０１で受信されるデータ放送データを補完するものである。通信部１０２によって取得されたデータ放送データ（コンテンツ）は、コンテンツ蓄積部１１１に蓄積される。
【００２９】
リモコン入力部１０３は、リモコン２００から出力されるリモコン情報を受信する。一般的には、赤外線入力ポート（図示せず）を介してリモコン情報を受け、そのリモコン情報からリモコンキーに対応するリモコン・コードを割り出すとともに、リモコン２００の状態（長押しなど）を識別する。リモコン情報とは、リモコン・コードとリモコン２００の状態とを対応づけた情報を示す。リモコン２００からのリモコン情報は、リモコン入力部１０３を介して制御部１０７に与えられる。
【００３０】
図２は、図１に示したリモコン２００の構成を示す図である。リモコン２００は、デジタル放送受信装置１００の電源をオン／オフするための電源キー、チャンネル選局用のアップダウンキー２０１、チャンネルを直接指定するためのダイレクト選局キー２０２、直前に選局していたチャンネルに戻るための前選局キー２０３、矢印キー２０５（右キー２０６、左キー２０７、上キー２０８、下キー２０９、決定キー２１０）、及びデータ放送画面の立上げ／終了を行うデータ・キー２１１を少なくとも有する。ユーザは、このリモコン２００を用いてデジタルテレビ装置１００を操作する。
【００３１】
図１に戻って、コンテンツ蓄積部１１１は、受信部１０１及び通信部１０２からのデータ放送データを蓄積する。画像・音声処理部１０４は、受信部１０１から与えられた映像・音声データをデコードする。また、画像・音声処理部１０４は、ブラウザ１０８からの制御に応じて、コンテンツ蓄積部１１１に蓄積されたデータ放送データに含まれる各種モノメディアのデータをデコードする。モノメディアとは映像、静止画、図形、音声、文字などの単独の表示メディアであり、このモノメディアのデータにはＰＮＧ（Ｐｏｒｔａｂｌｅ  Ｎｅｔｗｏｒｋ  Ｇｒａｐｈｉｃｓ）形式やＪＰＥＧ形式の画像データ、ＭＮＧ形式のアニメーション・データなども含まれる。
【００３２】
画像・音声処理部１０４によってデコードされた音声データは、音声出力部１１３に出力される。また、画像・音声処理部１０４によってデコードされた画像データやアニメーション・データは、合成部１０５に出力される。
【００３３】
制御部１０７は、リモコン入力部１０３からのリモコン情報やタイマー１１２からのタイマー通知、筐体に設けられたボタン（図示せず）の操作に応じて、デジタルテレビ装置１００の全体制御を行う。また、制御部１０７は、受信部１０１によって受信された放送波に含まれる制御情報に応じて、デジタルテレビ装置１００の制御を行う。具体的には、受信部１０１のチャンネル選局制御やブラウザ１０８の起動／終了制御、メッセージ作成部１０９の制御等を行う。
【００３４】
タイマー１１２は、設定されたカウント開始時刻からの経過時間をカウントし、設定されたカウント時間Ｔが経過するとその旨を制御部１０７に通知する。タイマー１１２のカウント開始時刻及び上記カウント時間Ｔは、制御部１０７を介して設定される。タイマー１１２は１つのタイマーで構成されているとは限らず、複数のタイマーで構成されていてもよい。その場合は、各タイマーに識別情報（タイマーＩＤ）が付加される。
【００３５】
ブラウザ１０８は、コンテンツ蓄積部１１１に蓄積されたデータ放送データに含まれるＢＭＬデータを解析し、ＢＭＬデータの記述に従ってデータ放送画面を作成して合成部１０５に出力する。なお、コンテンツ蓄積部１１１にセクション形式のデータ放送データが蓄積される場合、図示しないデータ復号部によってＢＭＬデータや各種モノメディア・データに復号される。ただし、ブラウザ１０８がデータ復号部の機能を有する構成にしてもよい。
【００３６】
ブラウザ１０８は、制御部１０７によって起動／終了制御される。また、起動中に、ユーザがリモコン２００でデータ放送画面を操作した場合、制御部１０７はリモコン２００からのリモコン情報と、表示中のデータ放送画面に対応するＢＭＬデータの記載内容に基づいて、ブラウザ１０８に所定の処理を実行させる。この所定の処理とは、例えばフォーカス移動や、他のデータ放送画面への遷移などが挙げられる。また、選局されたチャンネルが自動的にデータ放送画面を表示するチャンネルである場合は、ブラウザ１０８は放送波に含まれる制御情報に応じて起動する。
【００３７】
状態保存部１１０には、ブラウザ１０８が起動しているか否かを示すブラウザ情報が保存される。また、この状態保存部１１０には、選局されているチャンネルのデータ放送画面のコンテンツの状態、すなわちＢＭＬデータのＵＲＩ等を示すコンテンツ情報も保存される。音声やアニメーションなど時間的に変化するモノメディアを再生・表示している場合には、そのモノメディアの再生位置や再生方法などもコンテンツ情報として保存される。また、状態保存部１１０には、タイマー１１２が起動しているか否かを示すタイマー情報も保存される。タイマー１１２が複数のタイマーで構成されている場合には、各タイマーの識別情報及び対応するチャンネルの情報もタイマー情報として保存される。
【００３８】
コンテンツ蓄積部１１１に蓄積されたデータ放送データ（コンテンツ）は、制御部１０７またはブラウザ１０８からの依頼に応じて、ロック／ロック解除／消去される。なお、状態保存部１１０とコンテンツ蓄積部１１１は、一つの記憶装置で構成してもよい。
【００３９】
メッセージ作成部１０９は、制御部１０７等からの依頼に応じてメッセージを作成する。メッセージ作成部１０９は、スクリーンの表示位置やサイズなどを調整するためのＯＳＤ（Ｏｎ  Ｓｃｒｅｅｎ  Ｄｙｓｐｌａｙ）機能やメニュー表示機能、ウィンドウやアイコンなどを使ったＧＵＩ（Ｇｒａｐｈｉｃａｌ  Ｕｓｅｒ  Ｉｎｔｅｒｆａｃｅ）機能も有する。
【００４０】
合成部１０５は、画像・音声処理部１０４、ブラウザ１０８及びメッセージ作成部１０９の出力を合成する。ＡＲＩＢの規格によれば、データ放送用に動画プレーン、静止画プレーン、文字図形プレーン及び字幕プレーン等が用意されている。合成部１０５は、各プレーンを所定の手順に従って合成して出力する。なお、メッセージ作成部１０９によって作成されたメッセージには、メッセージ専用のメッセージプレーンが用意されるものとする。このメッセージプレーンは、通常ＯＳＤやメニュー表示用に使えるものであり、常に画面の最前部に表示されるものである。
【００４１】
表示部１０６は、例えば表示ディスプレイであり、合成部１０５の出力を表示する。ただし、ここではデジタル放送受信装置１００が表示部１０６を内蔵したディスプレイ一体型の装置としているが、デジタル放送受信装置１００は表示部１０６を内蔵しないＳＴＢ（セット・トップ・ボックス）等であってもよい。なお、表示部１０６が表示する映像と音声出力部１１３が出力する音声とは、同期が合うように制御される。
【００４２】
次に、チャンネル選局時にブラウザ情報及びコンテンツ情報を状態保存部１１０に保存する状態保存動作について説明する。
【００４３】
図３は、図１に示したデジタル放送受信装置１００の状態保存動作を示すフロー図である。まずステップＳ３０１において、制御部１０７は、視聴中のチャンネルが他のチャンネルへ選局依頼されたかどうかを判別する。そして、他のチャンネルへの選局依頼がされた場合は、次のステップＳ３０２に進む。
【００４４】
ステップＳ３０２では、制御部１０７は、元のチャンネルにおいてブラウザ１０８が起動しているか否かをチェックする。ここで、ブラウザ１０８が起動していない場合は、ステップＳ３０６に進んで通常の選局処理を行う。一方、ブラウザ１０８が起動している場合、すなわちデータ放送画面を表示している場合は、ステップＳ３０３に進む。なお、ブラウザ１０８を起動したまま番組映像を全画面に表示させる形態もあり得るが、このような場合はブラウザ１０８は起動していないものと見なす。ステップＳ３０３において、制御部１０７は、ブラウザ状態“ＯＮ”を示すブラウザ情報を状態保存部１１０に保存する。
【００４５】
図４は、状態保存部１１０に保存されるブラウザ情報の一例を示す図である。ここでは、ブラウザが起動（ＯＮ）しているか否かの情報がチャンネル毎に保存される。
【００４６】
図３に戻って、次にステップＳ３０４において、ブラウザ１０８（または制御部１０７）は、元のチャンネルのデータ放送画面に対応するコンテンツの状態を示すコンテンツ情報を状態保存部１１０に保存する。コンテンツ情報とは、表示されていたデータ放送画面に対応するＢＭＬデータのＵＲＩ、音声やアニメーションなど時間的に変化するモノメディアの種別・識別情報、その再生位置及び再生方法等を示す。
【００４７】
図５は、状態保存部１１０に保存されるコンテンツ情報の一例を示す図である。再生中のモノメディアの状態を保存する場合、状態保存部１１０に保存されるコンテンツ情報は、コンテンツ種別、コンテンツ識別、再生方法、及び再生位置である。図５では、コンテンツ種別はＭＰＥＧ−１形式の動画であることを示す“ｍｐｅｇ−１  ｖｉｄｅｏ”、コンテンツの識別は番組名（ファイル名若しくはＵＲＩ）を示す“ｖｉｄｅｏ．ｍｐｅｇ”となっている。また、再生方法は通常の再生方法であることを示す“通常再生”となっている。
【００４８】
再生位置は、一時停止をした箇所のシーケンスヘッダの位置（バイト値）を示す“ＸＸＸＸｂｙｔｅ”、該当するピクチャの位置（バイト値）“ＹＹＹＹｂｙｔｅ”となっている。あるピクチャの処理の途中で停止した場合は、そのピクチャデータの最後のバイト値となる。参照するピクチャがある場合は、そのピクチャの位置も保存される。また、図示していないが、該当するピクチャの再生に必要な時刻情報（ＰＴＳ、ＤＴＳなど）も保存される。
【００４９】
なお、保存する再生位置の構造は、コンテンツ識別によって異なる。また、再生コンテンツの数は可変であるため、それに応じて保存される情報の量も異なる。図５では、ＵＲＩの下に、再生コンテンツ数“２”を記されている。また、コンテンツの数の分だけループする構造となっており、各再生コンテンツに対応するコンテンツ種別、コンテンツ識別、再生方法、及び再生位置が保存される。なお、状態保存部１１０には各チャンネルに対応するコンテンツ情報が保存される。
【００５０】
再び図３に戻って、次にステップＳ３０５で、ブラウザ１０８（または制御部１０７）は、コンテンツ蓄積部１１１に蓄積されたコンテンツ情報をロックする。コンテンツ情報がロックされた場合は、次のステップＳ３０６で選局処理が行われても、そのコンテンツ情報が消去されない。ただし、コンテンツ蓄積部１１１の容量の制限に応じて、強制的にロック解除するようにしてもよい。なお、ここでロックされる情報には、データ放送画面に対応するＢＭＬデータ及びモノメディア・データ、バイナリテーブル・データなどが含まれる。コンテンツ蓄積部１１１にセクション形式のデータ（ＤＳＭ−ＣＣセクション・データ）が蓄積される場合は、そのコンテンツに対応するＤＩＩ及びＤＢＢがロックされる。また、コンテンツ蓄積部１１１にリソース単位で蓄積される場合は、そのコンテンツに対応するモジュールがロックされる。
【００５１】
なお、ステップＳ３０３からステップＳ３０５までの順序は入れ替わってもよい。また、ここでは他のチャンネルへ選局依頼された場合に、ブラウザ情報及びコンテンツ情報を保存する手順を示したが（Ｓ３０１〜Ｓ３０５）、ブラウザ情報及びコンテンツ情報を保存するタイミングはこれに限定されるものではない。例えば、所定の時間ごとに視聴チャンネルに対応するブラウザ情報及びコンテンツ情報を保存するようにしてもよい。
【００５２】
以上の処理が終わると、ステップＳ３０６において、制御部１０７は、ステップＳ３０１で選局依頼されたチャンネルへの選局処理を行う。すなわち、受信部１０１の選局チャンネルが切換えられ、切換え後のチャンネルの映像・音声データとデータ放送データがそれぞれ画像・音声処理部１０４とコンテンツ蓄積部１１１に出力される。そして、切換え後のチャンネルの画面が表示される。
【００５３】
次にステップＳ３０７において、制御部１０７は、タイマー１１２のカウント開始時刻及びカウント時間Ｔをセットする。タイマー１１２は、設定されたカウント開始時刻からの経過時間をカウントする。そして、カウント開始時刻からの経過時間がカウント時間Ｔに到達すると、その旨を制御部１０７に通知する。タイマー１１２のカウント開始時刻及びカウント時間Ｔは、予めユーザによって設定（もしくは初期設定）される。カウント時間Ｔは、例えば１〜１０分程度である。
【００５４】
なお、タイマー１１２が複数のタイマーで構成されている場合は、図６に示すように、各タイマーの識別情報及び対応するチャンネルの情報がタイマー情報として状態保存部１１０に保存される。
【００５５】
再び図３に戻って、制御部１０７は、ステップＳ３０８でタイマー１１２からカウント時間Ｔが経過したことを通知されると、ステップＳ３０９に進む。ステップＳ３０９において、制御部１０７は、対応するチャンネルのブラウザ情報を変更する。具体的には、制御部１０７は、状態保存部１１０にアクセスして、タイマー１１２のタイマーＩＤから対応するチャンネルを識別する。そして、そのチャンネルに対応付けられたブラウザ状態を“ＯＦＦ”に変更する。
【００５６】
次にステップＳ３１０において、制御部１０７は、状態保存部１１０内の該当するチャンネルに対応するコンテンツ情報を消去する。続いて、制御部１０７は、ステップＳ３１１でコンテンツ蓄積部１１１にロックされているコンテンツをロック解除し、ステップＳ３１２でコンテンツ蓄積部１１１内のコンテンツを消去する。
【００５７】
なお、ステップＳ３０９からステップＳ３１２までの順序は入れ替わっても良い。また、ステップＳ３１１でコンテンツをロック解除した後、すぐにステップＳ３１２でコンテンツを消去する必要はなく、コンテンツ蓄積部１１１の容量の状態に応じて消去するようにしても良い。
【００５８】
また、ステップＳ３０９において、制御部１０７がブラウザ状態を書き換える処理を行う代わりに、タイマー１１２から制御部１０７にタイマー通知が来たことを示す情報をブラウザ情報に追加するようにしても良い。この場合、図７に示すように、各チャンネルに対応するブラウザ状態に加えて、各チャンネルに対応するタイマー通知の情報“あり”“なし”を保存する構成となる。
【００５９】
ここで、制御部１０７は、ステップＳ３０８でタイマー１１２からタイマー通知を受ける前に、ユーザによって再び元のチャンネルへの選局依頼があった場合は、元のチャンネルのデータ放送画面（第１の表示形態）を再現する。一方、制御部１０７は、タイマー１１２からのタイマー通知を受けた後に、元のチャンネルへの選局依頼があった場合は、元のデータ放送画面を再現せずに元のチャンネルの番組映像を全画面表示した画面（第２の表示形態）を表示する。
【００６０】
次に、チャンネル選局時に元のデータ放送画面を再現する画面再現動作について説明する。
【００６１】
図８は、図１に示したデジタル放送受信装置１００の画面再現動作を示すフロー図である。なお、この図８に示す画面再現動作は、図３に示した状態保存動作と並列して実行される。
【００６２】
まずステップＳ３１３において、制御部１０７は、視聴中のチャンネルが他のチャンネルへ選局依頼されたかどうかを判別する。そして、他のチャンネルへの選局依頼がされた場合は、次のステップＳ３１４に進む。ステップＳ３１４では、制御部１０７は、選局先のチャンネルに対応するブラウザ状態を取得する。具体的には、状態保存部１１０内に保存されているブラウザ情報にアクセスし、選局先のチャンネルに対応するブラウザ状態を取得する。
【００６３】
次にステップＳ３１５において、制御部１０７は、取得したブラウザ状態が“ＯＮ”であるか否かを判別する。ここで、ブラウザ状態が“ＯＦＦ”であれば、ステップＳ３１９に進んで通常の選局処理を行う。一方、ブラウザ状態が“ＯＮ”であれば、ステップＳ３１６に進む。ステップＳ３１６において、制御部１０７は、ブラウザ１０８を起動させる。そして、ブラウザ１０８は、状態保存部１１０内の選局先のチャンネルに対応するコンテンツ情報をロードし、そのチャンネルのデータ放送画面に対応するＢＭＬデータのＵＲＩを取得する。
【００６４】
次にステップＳ３１７において、ブラウザ１０８は、取得したＵＲＩを基にデータ放送画面の作成に必要なコンテンツをコンテンツ蓄積部１１１からロードする。通常、データ放送画面の作成に必要なコンテンツは、コンテンツ蓄積部１１１にロックされた状態で蓄積されており、ブラウザ１０８からアクセスすることができるようになっている。ブラウザ１０８は、ロードを終えた段階で、コンテンツ蓄積部１１１内のコンテンツのロックを解除する。
【００６５】
なお、コンテンツ蓄積部１１１の容量不足などの理由で強制的にロックが解除されて、必要なコンテンツがコンテンツ蓄積部１１１から消去されていた場合は、受信中のデータ放送データから直接取得する。
【００６６】
次にステップＳ３１８で、ブラウザ１０８は、取得したコンテンツを用いてデータ放送画面を作成する（ＧＵＩ作成）。このとき、取得したコンテンツ情報として、音声、動画、アニメーションの再生状態に関する情報がある場合は、その再生状態を再現する。
【００６７】
以上の処理が終わると、ステップＳ３１９において、制御部１０７は、ステップＳ３１３で選局されたチャンネルへの選局処理を行う。すなわち、受信部１０１の選局チャンネルが切換えられ、切換え後のチャンネルの映像・音声データとデータ放送データがそれぞれ画像・音声処理部１０４とコンテンツ蓄積部１１１に出力される。そして、切換え後のチャンネルの画面が表示される。
【００６８】
図９は、図１に示したデジタル放送受信装置１００の表示画面の遷移の一例を示す図である。チャンネルＡのデータ放送画面Ｇ０１が表示された状態で、ユーザがリモコン２００を操作してチャンネルＢを選局すると、チャンネルＢの番組映像を全画面表示した画面Ｇ０２が表示される。チャンネルの選局操作は、リモコン２００のアップダウンキー２０１もしくはダイレクト選局キー２０２で行われる。次に、所定時間以内にユーザがリモコン２００の前選局キー２０３を押して再度元のチャンネルＡを選局すると、チャンネルＡのデータ放送画面Ｇ０１が表示される。ただし、前選局キー２０３に代わって、アップダウンキー２０１、ダイレクト選局キー２０２を押してチャンネルＡを選局してもよい。
【００６９】
まず、図９に示したようにチャンネルＡのデータ放送画面Ｇ０１からチャンネルＢの画面０２に切換える動作について詳細に説明する。
【００７０】
図３を参照して、制御部１０７は、視聴中のチャンネルＡから他のチャンネルＢへの選局依頼がされたことを認識すると（Ｓ３０１）、次にブラウザ１０８が起動しているか否かをチェックする（Ｓ３０２）。ここで、チャンネルＡのデータ放送画面Ｇ０１を表示していたので、制御部１０７は、状態保存部１１０にブラウザ状態“ＯＮ”を示すブラウザ情報を保存する（Ｓ３０３）。続いて、ブラウザ１０８（または制御部１０７）は、状態保存部１１０にチャンネルＡのデータ放送画面Ｇ０１のコンテンツの状態を示すコンテンツ情報を保存する（Ｓ３０４）。そして、ブラウザ１０８（または制御部１０７）は、コンテンツ蓄積部１１１に蓄積されたデータ放送画面Ｇ０１のコンテンツ情報をロックする（Ｓ３０５）。
【００７１】
次に、制御部１０７は、チャンネルＢへの選局処理を行う（Ｓ３０６）。すると、受信部１０１がチャンネルＡからチャンネルＢに切換えられる。
【００７２】
なお、上述した動作と並列に図８に示した動作も行われる。ただし、チャンネルＢを選局するまでの所定時間、チャンネルＢのデータ放送画面は表示されていなかったものとする。すなわち、図８及び図９を参照して、制御部１０７は、チャンネルＡからチャンネルＢへの選局依頼がされたことを認識すると（Ｓ３１３）、チャンネルＢに対応するブラウザ状態を取得する（Ｓ３１４）。制御部１０７は、取得したブラウザ状態が“ＯＦＦ”であるため、通常の選局処理を行う（Ｓ３１５，Ｓ３１９）。したがって、チャンネルＢの番組映像を全画面表示した画面Ｇ０２が表示される。
【００７３】
次に、図９に示したようにチャンネルＢの画面Ｇ０２から再度元のチャンネルＡのデータ放送画面Ｇ０１に切換える動作について詳細に説明する。
【００７４】
図３及び図８を参照して、制御部１０７は、タイマー１１２のカウント開始時刻及びカウント時間をセットした後（Ｓ３０７）、タイマー１１２からのタイマー通知を受ける前に（Ｓ３０８）、再びチャンネルＡへの選局依頼を受けたものとする（Ｓ３１３）。これに応じて、制御部１０７は、チャンネルＡに対応するブラウザ状態を取得する（Ｓ３１４）。このとき、制御部１０７は、取得したブラウザ状態が“ＯＮ”となっているため、ブラウザ１０８を起動させるそして、ブラウザ１０８は、状態保存部１１０内のチャンネルＡに対応するコンテンツ情報をロードし、チャンネルＡのデータ放送画面Ｇ０１に対応するＢＭＬデータのＵＲＩを取得する（Ｓ３１５，Ｓ３１６）。
【００７５】
次に、ブラウザ１０８は、取得したＵＲＩを基にデータ放送画面Ｇ０１の作成に必要なコンテンツをコンテンツ蓄積部１１１からロードする（Ｓ３１７）。続いて、取得したコンテンツを用いてデータ放送画面Ｇ０１を作成する（Ｓ３１８）。そして、制御部１０７は、チャンネルＡへの選局処理を行い（Ｓ３１９）、チャンネルＡのデータ放送画面Ｇ０１が表示される。
【００７６】
なお、上記の動作（Ｓ３１３〜Ｓ３１９）と並列して状態保存動作（Ｓ３０１〜Ｓ３０６）も行われるが、ここでは状態保存動作についての詳細説明は繰り返さない。
【００７７】
以上のように、この実施例１では、ユーザがあるチャンネルのデータ放送画面を見ていた場合、一旦他のチャンネルに切換えた後に再び元のチャンネルに切換えたときに、元のデータ放送画面を再現することができる。これにより、ユーザが所望のデータ放送画面を表示させるようにリモコンを操作する手間を省くことができ、チャンネルを切換える際の利便性が向上する。また、音声やアニメーションなど時間的に変化するモノメディアの状態も保持するようにしたので、それらの前回の再生状態を再現することもできる。
【００７８】
また、データ放送画面の複数階層のページのどの階層のページを閲覧していたとしても、その階層の深さに係わらずに即座に元の状態を再現することができる。なお、視聴しているデータ放送画面の階層の深さに関する情報も状態保存部１１０に保存するようにして、例えばデータ放送画面の階層の深さがある設定値よりも深い場合のみ前回の画面状態を再現するようにしてもよい。データ放送画面の階層の深さに関する情報として、例えばトップページからのリンク数をカウントしてもよい。
【００７９】
また、画面上のフォーカス位置に関する情報も状態保存部１１０に保存するようにして、前回のフォーカス位置についても再現するようにしてもよい。
【００８０】
なお、ここではチャンネルＡとチャンネルＢの２チャンネル間の選局動作について説明したが、これに限定されるものではない。コンテンツ蓄積部１１１が十分な容量を有すること前提にすれば、複数チャンネル間の選局動作にも適用することができる。
【００８１】
また、ここではブラウザ情報及びコンテンツ情報を保存して、データ放送画面を再現する場合を示したが、ブラウザ情報のみを保存してデータ放送画面Ｇ０１を再現するようにしてもよい。この場合は、ＵＲＩやモノメディアの再生状態は再現できないが、ブラウザ１０８の起動状態（“ＯＮ”  “ＯＦＦ”）を再現することができる。
【実施例２】
【００８２】
本発明の実施例２に係るデジタル放送受信装置の主構成は、図１に示したデジタル放送受信装置１００の構成と同様である。
【００８３】
図１０は、実施例２のデジタル放送受信装置の状態保存動作を示すフロー図であって、図３と対比される図である。図１０を参照して、図３と異なる点は、ステップＳ４０８とステップＳ４１０とが追加されている点である。なお、図１０のステップＳ４０１〜Ｓ４０７，Ｓ４０９，Ｓ４１１〜Ｓ４１４は、それぞれ図３のステップＳ３０１〜Ｓ３０７，Ｓ３０８，Ｓ３０９〜Ｓ３１２に対応しており、ここでは詳細説明は繰り返さない。
【００８４】
図１及び図１０を参照して、ステップＳ４０８において、制御部１０７は、メッセージ作成部１０９にユーザに通知するためのメッセージの作成を依頼する。メッセージ作成部１０９は、所定のメッセージを作成して合成部１０５に送る。合成部１０５によって合成されたメッセージは、表示部１０６に表示される。
【００８５】
ただし、作成したメッセージがメッセージ作成部１０９内のバッファ上に保持される場合は、メッセージ作成部１０９はその参照先を合成部１０５に送る。合成部１０５は、送られた情報を基に、作成されたメッセージが最前面に表示されるように合成する。
【００８６】
ステップＳ４１０において、制御部１０７は、表示されているメッセージを消去する。作成したメッセージがメッセージ作成部１０９内のバッファ上に保持され、それを合成部１１０が定期的に参照する形態を取っている場合は、そのバッファ上に保持されたメッセージをクリアする。
【００８７】
また、ここではステップＳ４１０をステップＳ４１１の前に行う場合を示したが、ステップＳ４１０は、ステップＳ４０９の後であればいつ実行してもよく、その順序は問わない。
【００８８】
図１１は、実施例２のデジタル放送受信装置の画面再現動作を示すフロー図であって、図８と対比される図である。図１１を参照して、図８と異なる点は、ステップＳ４１８が追加されている点である。なお、図１１のステップＳ４１５〜Ｓ４１７，Ｓ４１９〜Ｓ４２２は、それぞれ図８のステップＳ３１３〜Ｓ３１５，Ｓ３１６〜Ｓ３１９に対応しており、ここでは詳細説明は繰り返さない。
【００８９】
図１及び図１１を参照して、ステップＳ４１８において、制御部１０７は、表示されているメッセージを消去する。メッセージの消去方法は、図１０で説明した方法と同様である。
【００９０】
なお、ここではステップＳ４１８をステップＳ４１９の前に行う場合を示したが、ステップＳ４１８は、ステップＳ４１７の後であればいつ実行してもよく、その順序は問わない。
【００９１】
図１２は、実施例２のデジタル放送受信装置の表示画面の遷移の一例を示す図であって、図９と対比される図である。図１２を参照して、チャンネルＡのデータ放送画面Ｇ０１が表示された状態で、ユーザがリモコン２００を操作してチャンネルＢを選局すると、チャンネルＢの番組映像を全画面表示した画面Ｇ０３が表示される。画面Ｇ０３は、図９に示した画面Ｇ０２にユーザへのメッセージが追加された画面となる。例えば、「チャンネルＡを選局すると前回のデータ放送画面に戻ります」と表示されている。
【００９２】
次に、所定時間が経過する前にユーザがリモコン２００を操作して（例えば前選局キー２０３を押して）再度元のチャンネルＡを選局すると、チャンネルＡのデータ放送画面Ｇ０１が表示される。
【００９３】
一方、所定時間が経過しても他のチャンネルへの選局依頼がなかった場合は、メッセージが消去され、画面Ｇ０３から画面Ｇ０２に遷移する。この後に、ユーザがリモコン２００を操作して（例えば前選局キー２０３を押して）再度元のチャンネルＡを選局すると、チャンネルＡの番組映像を全画面表示した画面Ｇ０４が表示される。
【００９４】
以上のように、この実施例２では、元のデータ放送画面を再現できる旨をユーザに提示するようにした。これにより、ユーザは元のデータ放送画面に戻れることを視覚的に認識することができ、ユーザにとっての利便性が更に向上する。
【００９５】
なお、上記メッセージを表示する代わりに、アイコンを表示するようにしてもよい。また、メッセージかアイコンのいずれかを切替えて表示できるようにしてもよい。また、更にタイマー１１２のカウント経過を示す時間を表示するようにしてもよい。
【００９６】
また、ここではチャンネルＡとチャンネルＢの２チャンネル間の選局動作について説明したが、複数チャンネル間の動作にも適用することができる。その場合は、例えば各チャンネルに対応するアイコンを表示するようにしてもよい。
【実施例３】
【００９７】
本発明の実施例３に係るデジタル放送受信装置の主構成は、図１に示したデジタル放送受信装置１００の構成と同様である。
【００９８】
図１３は、実施例３のデジタル放送受信装置の画面再現動作を示すフロー図であって、図１１と対比される図である。図１３を参照して、図１１と異なる点は、ステップＳ５０２が追加され、ステップＳ５０３の順番が変わっている点である。なお、図１３のステップＳ５０１，Ｓ５０４，Ｓ５０５，Ｓ５０６〜Ｓ５０９は、それぞれ図１１のステップＳ４１５，Ｓ４１６，Ｓ４１７，Ｓ４１９〜Ｓ４２２に対応しており、ここでは詳細説明は繰り返さない。
【００９９】
図１及び図１３を参照して、ステップＳ５０２において、制御部１０７は、リモコン２００の前選局キー２０３が押されたか否かを判別する。ここで、ダイレクト選局キー２０２またはアップダウン・キー２０１が押された場合は、ステップＳ５０９に進んで通常の選局処理を行う。一方、前選局キー２０３が押された場合は、ステップＳ５０３に進んで、表示されているメッセージを消去する。メッセージの消去方法は、実施例２で説明した方法と同様である。
【０１００】
なお、ここではステップＳ５０３をステップＳ５０２の直後に行う場合を示したが、ステップＳ５０３は、ステップＳ５０２の後であればいつ実行してもよく、その順序は問わない。
【０１０１】
図１４は、実施例３のデジタル放送受信装置の表示画面の遷移の一例を示す図であって、図１２と対比される図である。図１４を参照して、チャンネルＡのデータ放送画面Ｇ０１が表示された状態で、ユーザがリモコン２００を操作してチャンネルＢを選局すると、チャンネルＢの番組映像を全画面表示した画面Ｇ０５が表示される。画面Ｇ０５には、図１２に示した画面Ｇ０３のメッセージとは異なるメッセージが表示されている。例えば、「『前選局キー』でチャンネルＡのデータ放送画面に戻る。『ダイレクト選局キー（３）』でチャンネルＡの通常画面に戻る。」と表示される。所定時間が経過するまでこのメッセージは表示される。ただし、ユーザが強制的にメッセージを消去できるようにしてもよい。
【０１０２】
所定時間が経過する前にユーザがリモコン２００の前選局キー２０３を押すと、元のチャンネルＡのデータ放送画面Ｇ０１が表示される。
【０１０３】
一方、所定時間が経過する前であってもユーザがリモコン２００のダイレクト選局キー２０２を押してチャンネルＡを選局すると、チャンネルＡの番組映像を全画面表示した画面Ｇ０４が表示される。
【０１０４】
以上のように、この実施例３では、元のデータ放送画面を再現させるか、番組映像を全画面表示した通常の画面を表示させるかをユーザが選択できる。また、そのように選択できる旨をユーザに提示するようにした。これにより、ユーザにとっての利便性が更に向上する。
【実施例４】
【０１０５】
本発明の実施例４に係るデジタル放送受信装置の主構成は、図１に示したデジタル放送受信装置１００の構成と同様である。
【０１０６】
図１５は、実施例４のデジタル放送受信装置の画面再現動作を示すフロー図であって、図８と対比される図である。図１５を参照して、図８と異なる点は、ステップＳ６０４〜Ｓ６０６が追加されている点である。なお、図１５のステップＳ６０１〜Ｓ６０３，Ｓ６０７〜Ｓ６１０は、それぞれ図８のステップＳ３１３〜Ｓ３１５，Ｓ３１６〜Ｓ３１９に対応しており、ここでは詳細説明は繰り返さない。
【０１０７】
図１及び図１５を参照して、ステップＳ６０４において、制御部１０７は、メッセージ作成部１０９にユーザに通知するためのメッセージの作成を依頼する。メッセージ作成部１０９は、所定のメッセージ（例えば、「前回のデータ放送画面を再現しますか？“ＯＫ”“キャンセル”」）を作成して合成部１０５に送る。合成部１０５によって合成されたメッセージは、表示部１０６に表示される。
【０１０８】
次にステップＳ６０５において、制御部１０７は、ユーザによって上記メッセージ中の“ＯＫ”が選択されたか否かを判別する。“ＯＫ”アイコンまたは“キャンセル”アイコンをフォーカス移動させて決定キー２１０で選択する場合は、制御部１０７はメッセージ作成部１０９から現在のフォーカス位置の情報も取得する。ここで、“キャンセル”が選択された場合は、ステップＳ６１０に進んで通常の選局処理を行う。一方、“ＯＫ”が選択された場合は、ステップＳ６０６に進む。ステップＳ６０６において、制御部１０７は、表示されているメッセージを消去する。メッセージの消去方法は、実施例２で説明した方法と同様である。
【０１０９】
図１６は、実施例４のデジタル放送受信装置の表示画面の遷移の一例を示す図であって、図９と対比される図である。図１６を参照して、チャンネルＡのデータ放送画面Ｇ０１が表示された状態で、ユーザがリモコン２００を操作してチャンネルＢを選局すると、チャンネルＢの番組映像を全画面表示した画面Ｇ０２が表示される。
【０１１０】
所定時間が経過する前にユーザがリモコン２００の前選局キー２０３を押すと、画面０６に示すように、所定のメッセージが表示される。このメッセージとしては、例えば、「前回のチャンネルＡのデータ放送画面を表示しますか？“ＯＫ”“キャンセル”」と表示される。所定時間が経過するまでこのメッセージは表示される。ただし、ユーザが強制的にメッセージを消去できるようにしてもよい。
【０１１１】
次に、ユーザが“ＯＫ”を選択すると、元のチャンネルＡのデータ放送画面Ｇ０１が表示される。図示していないが、ユーザが“キャンセル”を選択した場合は、チャンネルＡの番組映像を全画面表示した画面Ｇ０４（図１４参照）が表示される。
【０１１２】
以上のように、この実施例４では、実施例３と同様に元のデータ放送画面を再現させるか、番組映像を全画面表示した通常の画面を表示させるかをユーザが選択できる。また、そのように選択できる旨を、元のチャンネルへの選局動作が行われた後にメッセージで表示するようにしたので、それまでの視聴を邪魔しないという効果もある。
【実施例５】
【０１１３】
本発明の実施例５に係るデジタル放送受信装置の主構成は、図１に示したデジタル放送受信装置１００の構成と同様である。
【０１１４】
図１７は、実施例５のデジタル放送受信装置の画面再現動作を示すフロー図であって、図８と対比される図である。図１７を参照して、図８と異なる点は、ステップＳ７０６，Ｓ７０７が追加されている点である。なお、図１７のステップＳ７０１〜Ｓ７０５，Ｓ７０８〜Ｓ７０９は、それぞれ図８のステップＳ３１３〜Ｓ３１７，Ｓ３１８〜Ｓ３１９に対応しており、ここでは詳細説明は繰り返さない。
【０１１５】
図１及び図１７を参照して、ステップＳ７０６において、ブラウザ１０８は、受信部１０１（または通信部１０２）で受信中のデータ放送データと、蓄積部１１１からロードしたコンテンツとを比較する。そして、内容が変更されているか否かを判別する。
【０１１６】
例えば、ブラウザ１０８は、そのコンテンツに対応するＤＩＩを取得して、少なくともモジュールが存在するか（ｎｕｍ  Ｏｆ  Ｍｏｄｕｌｅｓがゼロでないか）、データイベントが更新されていないか（ｄａｔａ＿ｅｖｅｎｔ＿ｉｄが変わっていないか）、ＤＩＩのバージョンが更新されていないかをチェックする。そして、上記のいずれにも該当しない場合は、コンテンツ状態に変化がないと判断して、ステップＳ７０８に進む。一方、いずれかに該当する場合は、コンテンツ状態が変化していると判断し、その旨を制御部１０７に通知する。
【０１１７】
ステップＳ７０７において、制御部１０７は、メッセージ作成部１０９にユーザに通知するためのメッセージの作成を依頼する。メッセージ作成部１０９は、所定のメッセージを作成して合成部１０５に送る。
【０１１８】
図１８は、実施例５のデジタル放送受信装置の表示画面の遷移の一例を示す図であって、図９と対比される図である。図１８を参照して、チャンネルＡのデータ放送画面Ｇ０１が表示された状態で、ユーザがリモコン２００を操作してチャンネルＢを選局すると、チャンネルＢの番組映像を全画面表示した画面Ｇ０２が表示される。
【０１１９】
次に、ユーザがリモコン２００の前選局キー２０３を押して再度元のチャンネルＡを選局した際、コンテンツ状態が変化していれば、チャンネルＡの番組映像を全画面表示した画面Ｇ０７に所定のメッセージが表示される。このメッセージとしては、例えば、「データ放送番組は現在放送されていません」と表示される。所定時間が経過するまでこのメッセージは表示される。ただし、ユーザが強制的にメッセージを消去できるようにしてもよい。
【０１２０】
このように、データ放送の場合、前回見ていた状態から送出されているデータ放送番組の内容が変化していることがある。例えば、データ放送番組が放送されておらず、指定されたＵＲＩが存在しない（空カルーセル）場合が起こり得る。また、データ放送番組の内容が更新（指定されたＵＲＩに関するＤＩＩのｄａｔａ＿ｅｖｅｎｔ＿ｉｄが更新、ＤＩＩ・バージョンもしくはモジュール・バージョンが更新）されている場合も起こり得る。ただし、指定されたＵＲＩが存在していて内容が更新されている場合には、更新された内容を読込んで提示する。
【０１２１】
図１９は、この実施例５の変更例を示す図である。図１９を参照して、図１１８と異なる点は、チャンネルＡの画面Ｇ０７が画面Ｇ０８で置換されている点である。この画面Ｇ０８は、チャンネルＡの元のデータ放送画面Ｇ０１上に、データ放送番組が現在放送されていないことを通知するメッセージ（例えば、「このデータ放送番組は、現在放送されていません」）を表示させたものである。
【０１２２】
以上のように、この実施例５及びその変更例では、コンテンツ状態が変化しているか否かをチェックして、その結果をユーザに提示するようにした。これにより、再び元のチャンネルを選局したときに、そのデータ放送番組の内容が変更されていることをユーザが知ることができる。これにより、ユーザにとっての利便性が更に向上する。
【実施例６】
【０１２３】
この実施例６では、サーバ型放送の視聴を例に挙げて、以下に具体的に説明する。
【０１２４】
図２０は、本発明の実施例６に係るサーバ型放送受信装置３００概略構成を示すブロック図であって、図１と対比される図である。図２０のサーバ型放送受信装置３００を参照して、図１のデジタル放送受信装置１００と異なる点は、受信部１０１、コンテンツ蓄積部１１１、画像・音声処理部１０４、ブラウザ１０８及びリモコン２００が、それぞれ受信部３０１、コンテンツ蓄積部３０２、画像・音声処理部３０３、ブラウザ３０４及びリモコン４００に置換されている点である。なお、図２０と図１とを対比して、同様の機能を有する部分については同一の番号を付し、その詳細な説明は繰り返さない。
【０１２５】
サーバ型放送の伝送方式は、大きく二つの方式に分けられる。リアルタイム視聴も可能なストリーム型伝送方式と、ＨＤＤなどの大容量メディアに一旦蓄積後、再生して視聴するファイル型伝送方式である。ストリーム型伝送方式では、既存のデジタル放送受信装置でも視聴可能となるように現行のデジタル放送方式に従って映像・音声データ（ストリーム型コンテンツ）が伝送される。また、ファイル型伝送方式では、現行のデータ放送と同様のデータカルーセル伝送方式を用いて映像・音声データ（ファイル型コンテンツ）が伝送される。
【０１２６】
図２０において、受信部３０１は、サーバ型放送の放送波（デジタル放送波）を受信して復調処理を行い、映像・音声データ（ストリーム型コンテンツ、ファイル型コンテンツ）及びデータ放送データを出力する。受信部１０１から出力された映像・音声データとデータ放送データは、ともにコンテンツ蓄積部３０２に与えられる。サーバ型放送受信装置３００は、受信した番組コンテンツ（番組映像のコンテンツ）を一旦内部に蓄積するための大容量のコンテンツ蓄積部３０２を備えている。映像・音声データ（ストリーム型コンテンツ、ファイル型コンテンツ）は、一旦コンテンツ蓄積部３０２に蓄積される。ただし、通信部１０２を介して映像・音声データ（ファイル型コンテンツ）を取得しても良い。
【０１２７】
また、サーバ型放送では、コンテンツ蓄積部３０２に蓄積された番組コンテンツを再生する手段が必要となる。ここでは、画像・音声処理部３０３及びブラウザ３０４が番組コンテンツを再生する機能を有する。蓄積された番組コンテンツを再生する一つの方法として、まずブラウザ３０４を起動してデータ放送画面を表示し、そのデータ放送画面からサーバ型放送画面に遷移して、所望の番組コンテンツを選んで再生する方法がある。
【０１２８】
サーバ型放送画面（第１の表示形態）から、蓄積された番組コンテンツの再生がユーザによって指示された場合、ブラウザ３０４は該当する番組コンテンツのデコードを画像・音声処理部３０３に依頼する。画像・音声処理部３０３は、指定された番組コンテンツをコンテンツ蓄積部３０２から読出してデコードする。ただし、これに先立って、ブラウザ３０４が番組コンテンツのライセンスの取得を行う。また、表示位置やサイズの指定などもブラウザ３０４が行う。
【０１２９】
番組コンテンツを蓄積しながら再生する場合の動作も、蓄積された番組コンテンツを再生する場合の動作と同様である。ただし、番組コンテンツを蓄積している最中に他のチャンネルに切換えられる可能性を考慮して、受信部３０１を複数のチューナーで構成する必要がある。
【０１３０】
なお、ここではサーバ型放送受信装置３００が表示部１０６を内蔵したディスプレイ一体型の装置としているが、表示部１０６をサーバ型放送受信装置３００の外部に設けた構成であってもよい。サーバ型放送では、表示部１０６を内蔵しないＳＴＢ（セット・トップ・ボックス）等の受信装置が想定される。また、サーバ型放送では、ハイライト再生を行うためのメタデータを取得及び保持する手段や、ライセンスの取得手段、暗号解読手段等が必要であるが、ここではそれらの詳細説明を省略する。
【０１３１】
図２１は、図２０に示したリモコン４００の構成を示す図であって、図２と対比される図である。図２１のリモコン４００を参照して、図２のリモコン２００と異なる点は、再生制御キー４０１が追加されている点である。なお、図２１と図２とを対比して、同様の機能を有する部分については同一の番号を付し、その詳細な説明は繰り返さない。ユーザは、図２１に示した再生制御キー４０１によって巻戻し、再生、停止、早送り等を指示することができる。
【０１３２】
サーバ型放送受信装置３００において、チャンネル選局時にブラウザ情報及びコンテンツ情報を状態保存部１１０に保存する状態保存動作を示すフロー図は、図３に示したデジタル放送受信装置１００のフロー図と同様となる。
【０１３３】
ただし、ステップＳ３０４で状態保存部１１０に保存するコンテンツ情報は、表示されていたサーバ型放送画面に対応するＢＭＬデータのＵＲＩを含む。また、蓄積された番組コンテンツを再生している場合は、その番組コンテンツの再生状態もコンテンツ情報として保存される。
【０１３４】
例えば、蓄積された番組コンテンツを再生している場合、コンテンツ情報として保存されるコンテンツ種別はＭＰＥＧ―２、コンテンツの識別は番組名（ファイル名若しくはＵＲＩ（ＣＲＩＤ：Ｃｏｎｔｅｎｔ  Ｒｅｆｅｒｅｎｃｅ  Ｉｄｅｎｔｉｆｉｅｒ））となる。また、再生方法は“通常再生”や“ニ倍速再生”となる。ただし、セグメントメタによる再生を行っている場合は、その情報を付加しても良い。
【０１３５】
再生位置は、一時停止をした箇所のシーケンスヘッダの位置（バイト値）、該当するピクチャの位置となる。あるピクチャの処理の途中で停止した場合は、そのピクチャデータの最後のバイト値となる。参照するピクチャがある場合はその位置も保存される。また、該当するピクチャの再生に必要な時刻情報（ＰＴＳ、ＤＴＳなど）も保存される。ただし、番組コンテンツをＴＳ（Ｔｒａｎｓｐｏｒｔ  Ｓｔｒｅａｍ）形式で蓄積している場合は、ＰＡＴ（Ｐｒｏｇｒａｍ  Ａｓｓｏｃｉａｔｉｏｎ  Ｔａｂｌｅ）やＰＭＴ（Ｐｒｏｇｒａｍ  Ｍａｐ  Ｔａｂｌｅ）の場所も保存する。
【０１３６】
またサーバ型放送受信装置３００において、チャンネル選局時に元のデータ放送画面を再現する画面再現動作を示すフロー図は、図８に示したデジタル放送受信装置１００のフロー図と同様となる。
【０１３７】
ただし、ステップＳ３１８ではサーバ型放送画面が作成される。サーバ型放送画面は、蓄積された番組コンテンツの再生状態を再現した画面となる。なお、番組コンテンツの再生回数に制限がない場合は、停止した位置よりも少し手前から再生開始しても良い。
【０１３８】
図２２は、図２０に示したサーバ型放送受信装置３００の表示画面の遷移の一例を示す図である。図２２を参照して、チャンネルＡのサーバ型放送画面Ｇ１０が表示された状態で、ユーザがリモコン２００を操作してチャンネルＢを選局すると、チャンネルＢの番組映像を全画面表示した画面Ｇ０２が表示される。
【０１３９】
次に、所定時間が経過する前にユーザがリモコン２００を操作して（例えば前選局キー２０３を押して）再度元のチャンネルＡを選局すると、チャンネルＡのサーバ型放送画面Ｇ１０が表示される。このサーバ型放送画面Ｇ１０では、以前途中まで見ていた番組コンテンツを再生する場合は、元の再生状態が再現され、見終わった位置から再生される。また、セグメント再生など特殊な再生を行っていた場合はその再生方法を再現する。
【０１４０】
以上のように、この実施例６では、ユーザがあるチャンネルのサーバ放送画面を見ていた場合、一旦他のチャンネルに切換えた後に再び元のチャンネルに切換えたときに、元のサーバ型放送画面を再現することができる。これにより、ユーザが所望のサーバ放送画面を表示させるようにリモコンを操作する手間を省くことができ、チャンネルを切換える際の利便性が向上する。
【０１４１】
なお、実施例２に示した場合と同様に、元のサーバ型放送画面を再現できる旨をユーザに提示するようにしてもよい。また、実施例３及び実施例４に示した場合と同様に、元のサーバ型放送画面を再現させるか、番組映像を全画面表示した通常の画面を表示させるかをユーザが選択できるようにしてもよい。また、実施例５に示した場合と同様に、コンテンツ状態が変化しているか否かをチェックして、その結果をユーザに提示するようにしてもよい。
【実施例７】
【０１４２】
本発明の実施例７に係るサーバ型放送受信装置の主構成は、図２０に示したデジタル放送受信装置１００の構成と同様である。
【０１４３】
図２３は、実施例７のサーバ型放送受信装置の表示画面の遷移の一例を示す図であって、図２２と対比される図である。図２３を参照して、チャンネルＡのサーバ型放送画面Ｇ１０が表示された状態で、ユーザがリモコン２００を操作してチャンネルＢを選局すると、チャンネルＢの番組映像を全画面表示した画面Ｇ１３が表示される。画面Ｇ１３は、図２２に示した画面Ｇ０２にユーザへのメッセージが追加された画面となる。例えば、「『前選局キー』を押した後、『右キー』で前回のサーバ型放送画面に戻る。『左キー』で再生継続画面に戻る。『ダイレクト選局キー（３）』でチャンネルＡの通常画面に戻る。」と表示される。所定時間が経過するまでこのメッセージは表示される。ただし、ユーザが強制的にメッセージを消去できるようにしてもよい。
【０１４４】
次に、所定時間が経過する前にユーザがリモコン４００の前選局キー２０３と右キー２０６を押した場合は、チャンネルＡのサーバ型放送画面Ｇ１０が表示される。このサーバ型放送画面Ｇ１０では、元の再生状態が再現されて見終わった位置から再生される。
【０１４５】
所定時間が経過する前にユーザがリモコン４００の前選局キー２０３と左キー２０７を押した場合は、チャンネルＡのサーバ型放送画面Ｇ１１が表示される。このサーバ型放送画面Ｇ１１では、元の再生状態からチャンネルＢが選局されていた時間だけ進めた状態が再現される。
【０１４６】
所定時間が経過する前にユーザがリモコン４００の前選局キー２０３とダイレクト選局キー（３）２０２を押した場合は、チャンネルＡの番組映像を全画面表示した画面Ｇ１２が表示される。
【０１４７】
このように、元のサーバ型放送画面Ｇ１０、元の再生状態から他のチャンネルが選局されていた時間だけ進めたサーバ型放送画面Ｇ１１、番組映像を全画面表示した通常の画面Ｇ１２のどの画面を表示させるかをユーザが選択できる。これにより、ユーザにとっての利便性が更に向上する。
【０１４８】
なお、この実施例７のサーバ型放送受信装置の画面再現動作を示すフロー図は、実施例３で示した図１３のフロー図と同様となる。ただし、画面Ｇ１３から画面Ｇ１１に遷移させる場合は、ステップＳ５０７で、元の再生状態からチャンネルＢが選局されていた時間だけ進めたコンテンツをコンテンツ蓄積部３０２からロードする。
【０１４９】
図２４は、この実施例７の変更例を示す図である。図２４を参照して、図２３と異なる点は、画面Ｇ１３が画面Ｇ０２及び画面Ｇ１４に置換されている点である。
【０１５０】
図２４において、チャンネルＡのサーバ型放送画面Ｇ１０が表示された状態で、ユーザがリモコン２００を操作してチャンネルＢを選局すると、チャンネルＢの番組映像を全画面表示した画面Ｇ０２が表示される。
【０１５１】
所定時間が経過する前にユーザがリモコン２００の前選局キー２０３を押すと、画面１４に示すように、所定のメッセージが表示される。このメッセージとしては、例えば、「前回までのサーバ型放送画面、若しくは再生継続画面を表示しますか？『右キー』で前回のサーバ型放送画面に戻る。『左キー』で再生継続画面に戻る。『ダイレクト選局キー（３）』でチャンネルＡの通常画面に戻る。」と表示される。ユーザは、メッセージに従って、画面Ｇ１０、画面Ｇ１１、画面Ｇ１２のいずれかの画面を表示させることができる。
【０１５２】
なお、図２３及び図２４では、元のチャンネルＡに戻るときにユーザが画面Ｇ１０又は画面Ｇ１１を選択できる構成としたが、画面Ｇ１０又は画面Ｇ１１のいずれか一方に自動的に決められる構成にしてもよい。具体的には、元のチャンネルＡのデータ放送番組画面Ｇ１０で番組コンテンツを再生していた場合は画面Ｇ１１を表示し、元のチャンネルＡのデータ放送番組画面Ｇ１０で番組コンテンツを再生していなかった場合は（停止や一時停止など）、画面Ｇ１０を表示するようにしてもよい。
【０１５３】
以上のように、この実施例７及びその変更例では、元のサーバ型放送画面を再現できる旨をユーザに提示するようにした。これにより、ユーザは元のサーバ型放送画面に戻れることを視覚的に認識することができ、ユーザにとっての利便性が更に向上する。
【図面の簡単な説明】
【０１５４】
【図１】本発明の実施例１に係るデジタル放送受信装置の概略構成を示すブロック図である。
【図２】図１に示したリモコンの構成を示す図である。
【図３】図１に示したデジタル放送受信装置の状態保存動作を示すフロー図である。
【図４】図１に示した状態保存部に保存されるブラウザ情報の一例を示す図である。
【図５】図１に示した状態保存部に保存されるコンテンツ情報の一例を示す図である。
【図６】図１に示した状態保存部に保存されるタイマー情報の一例を示す図である。
【図７】図１に示した状態保存部に保存されるタイマー情報の一例を示す他の図である。
【図８】図１に示したデジタル放送受信装置の画面再現動作を示すフロー図である。
【図９】図１に示したデジタル放送受信装置の表示画面の遷移の一例を示す図である。
【図１０】実施例２のデジタル放送受信装置の状態保存動作を示すフロー図である。
【図１１】実施例２のデジタル放送受信装置の画面再現動作を示すフロー図である。
【図１２】実施例２のデジタル放送受信装置の表示画面の遷移の一例を示す図である。
【図１３】実施例３のデジタル放送受信装置の画面再現動作を示すフロー図である。
【図１４】実施例３のデジタル放送受信装置の表示画面の遷移の一例を示す図である。
【図１５】実施例４のデジタル放送受信装置の画面再現動作を示すフロー図である。
【図１６】実施例４のデジタル放送受信装置の表示画面の遷移の一例を示す図である。
【図１７】実施例５のデジタル放送受信装置の画面再現動作を示すフロー図である。
【図１８】実施例５のデジタル放送受信装置の表示画面の遷移の一例を示す図である。
【図１９】実施例５の変更例を示す図である。
【図２０】本発明の実施例６に係るサーバ型放送受信装置概略構成を示すブロック図である。
【図２１】図２０に示したリモコンの構成を示す図である。
【図２２】図２０に示したサーバ型放送受信装置の表示画面の遷移の一例を示す図である。
【図２３】実施例７のサーバ型放送受信装置の表示画面の遷移の一例を示す図である。
【図２４】実施例７の変更例を示す図である。
【図２５】従来のデジタル放送受信装置の表示画面の遷移の一例を示す図である。
【図２６】従来のサーバ型放送受信装置の表示画面の遷移の一例を示す図である。
【符号の説明】
【０１５５】
１００  デジタル放送受信装置
１０１  受信部
１０２  通信部
１０３  リモコン入力部
１０４  画像・音声処理部
１０５  合成部
１０６  表示部
１０７  制御部
１０８  ブラウザ
１０９  メッセージ作成部
１１０  状態保存部
１１１  コンテンツ蓄積部
１１２  タイマー
１１３  音声出力部
【図１】
0004574566.tif 000002
【図２】
0004574566.tif 000003
【図３】
0004574566.tif 000004
【図４】
0004574566.tif 000005
【図５】
0004574566.tif 000006
【図６】
0004574566.tif 000007
【図７】
0004574566.tif 000008
【図８】
0004574566.tif 000009
【図９】
0004574566.tif 000010
【図１０】
0004574566.tif 000011
【図１１】
0004574566.tif 000012
【図１２】
0004574566.tif 000013
【図１３】
0004574566.tif 000014
【図１４】
0004574566.tif 000015
【図１５】
0004574566.tif 000016
【図１６】
0004574566.tif 000017
【図１７】
0004574566.tif 000018
【図１８】
0004574566.tif 000019
【図１９】
0004574566.tif 000020
【図２０】
0004574566.tif 000021
【図２１】
0004574566.tif 000022
【図２２】
0004574566.tif 000023
【図２３】
0004574566.tif 000024
【図２４】
0004574566.tif 000025
【図２５】
0004574566.tif 000026
【図２６】
0004574566.tif 000027